【手続補正書】
【提出日】平成17年9月8日(2005.9.8)
【手続補正１】
【補正対象書類名】明細書
【補正対象項目名】請求項１
【補正方法】変更
【補正の内容】
【請求項１】
情報記録媒体に記録されたフレーム情報を有する圧縮オーディオデータを読み取る読取部と前記読取部が読み取った圧縮オーディオデータをフレーム単位で伸張する伸張部と前記伸張部が伸張したオーディオ信号を出力する出力部とを備えた情報記録媒体再生装置において、
前記出力部が出力するオーディオ信号の再生開始位置及び再生終了位置を設定する設定部と、
前記伸張部が伸張したオーディオ信号を記憶し、記憶したオーディオ信号を読み出し前記出力部へ出力する第１の記憶部と、
前記設定部により設定された再生開始位置から前記伸張部が予め定められた時間に伸張したオーディオ信号を記憶する第２の記憶部と、
前記設定部により設定された再生開始位置から再生終了位置の区間を繰り返し再生する指示を入力する再生指示部と、
前記設定部から再生開始位置を設定する指示が入力されたとき、前記伸張部が伸張した圧縮オーディオデータのフレームのヘッダの記録位置を示す情報を記憶する位置情報記憶部と、
前記伸張部が予め定められたセクタ数に記録された圧縮オーディオデータを伸張する毎にフレームのヘッダを検出する制御をする制御部とを備え、
前記制御部は、前記再生指示部から繰り返し再生する指示が入力された場合、前記第２の記憶部に記憶されたオーディオ信号を読み出し前記出力部から出力するとともに前記読取部に前記位置情報記憶部に記憶されたヘッダの記録位置から圧縮オーディオデータの読み取りを開始させ前記伸張部に当該圧縮オーディオデータを伸張させ前記設定部により設定された再生開始位置から当該伸張したオーディオ信号を前記第１の記憶部に記憶する制御をし、前記第２の記憶部からオーディオ信号の読み出しが終了すると当該オーディオ信号に続くオーディオ信号を前記第１の記憶部から読み出す制御をすることを特徴とする情報記録媒体再生装置。
【手続補正２】
【補正対象書類名】明細書
【補正対象項目名】請求項２
【補正方法】変更
【補正の内容】
【請求項２】
情報記録媒体に記録されたフレーム情報を有する圧縮オーディオデータを読み取る読取部と前記読取部が読み取った圧縮オーディオデータをフレーム単位で伸張する伸張部と前記伸張部が伸張したオーディオ信号を出力する出力部とを備えた情報記録媒体再生装置において、
前記出力部が出力したオーディオデータの再生開始位置及び再生終了位置を設定する設定部と、
前記伸張部が伸張したオーディオ信号を記憶し、記憶したオーディオ信号を読み出し前記出力部へ出力する第１の記憶部と、
前記設定部により設定された再生開始位置から、前記伸張部が予め定められた時間に伸張したオーディオ信号を記憶する第２の記憶部と、
前記設定部により設定された再生開始位置から再生終了位置の区間を繰り返し再生する指示を入力する再生指示部と、
前記第２の記憶部にオーディオ信号の記憶が終了する直前に、前記伸張部が伸張した圧縮オーディオデータのフレームのヘッダの記録位置を示す情報を記憶する位置情報記憶部と、
前記伸張部が予め定められたセクタ数に記録された圧縮オーディオデータを伸張する毎にフレームのヘッダを検出する制御をする制御部とを備え、
前記制御部は、前記再生指示部から繰り返し再生する指示が入力された場合、前記第２の記憶部に記憶されたオーディオ信号を読み出し前記出力部から出力するとともに前記読取部に前記位置情報記憶部に記憶されたヘッダの記録位置から圧縮オーディオデータの読み取りを開始し前記伸張部に当該圧縮オーディオデータを伸張させ前記設定部により設定された再生開始位置から前記予め定められた時間が経過した位置より当該伸張したオーディオ信号を前記第１の記憶部に記憶する制御をし、前記第２の記憶部からオーディオ信号の読み出しが終了すると前記第１の記憶部に記憶されたオーディオ信号を読み出す制御をすることを特徴とする情報記録媒体再生装置。
【手続補正３】
【補正対象書類名】明細書
【補正対象項目名】００１１
【補正方法】変更
【補正の内容】
【００１１】
【課題を解決するための手段】
上記の課題を解決するために、本願の請求項１記載の発明は、情報記録媒体に記録されたフレーム情報を有する圧縮オーディオデータを読み取る読取部と前記読取部が読み取った圧縮オーディオデータをフレーム単位で伸張する伸張部と前記伸張部が伸張したオーディオ信号を出力する出力部とを備えた情報記録媒体再生装置において、前記出力部が出力するオーディオ信号の再生開始位置及び再生終了位置を設定する設定部と、前記伸張部が伸張したオーディオ信号を記憶し、記憶したオーディオ信号を読み出し前記出力部へ出力する第１の記憶部と、前記設定部により設定された再生開始位置から前記伸張部が予め定められた時間に伸張したオーディオ信号を記憶する第２の記憶部と、前記設定部により設定された再生開始位置から再生終了位置の区間を繰り返し再生する指示を入力する再生指示部と、前記設定部から再生開始位置を設定する指示が入力されたとき、前記伸張部が伸張した圧縮オーディオデータのフレームのヘッダの記録位置を示す情報を記憶する位置情報記憶部と、前記伸張部が予め定められたセクタ数に記録された圧縮オーディオデータを伸張する毎にフレームのヘッダを検出する制御をする制御部とを備え、前記制御部は、前記再生指示部から繰り返し再生する指示が入力された場合、前記第２の記憶部に記憶されたオーディオ信号を読み出し前記出力部から出力するとともに前記読取部に前記位置情報記憶部に記憶されたヘッダの記録位置から圧縮オーディオデータの読み取りを開始させ前記伸張部に当該圧縮オーディオデータを伸張させ前記設定部により設定された再生開始位置から当該伸張したオーディオ信号を前記第１の記憶部に記憶する制御をし、前記第２の記憶部からオーディオ信号の読み出しが終了すると当該オーディオ信号に続くオーディオ信号を前記第１の記憶部から読み出す制御をすることを特徴とする。
【手続補正４】
【補正対象書類名】明細書
【補正対象項目名】００１２
【補正方法】変更
【補正の内容】
【００１２】
また、本願の請求項２記載の発明は、情報記録媒体に記録されたフレーム情報を有する圧縮オーディオデータを読み取る読取部と前記読取部が読み取った圧縮オーディオデータをフレーム単位で伸張する伸張部と前記伸張部が伸張したオーディオ信号を出力する出力部とを備えた情報記録媒体再生装置において、前記出力部が出力したオーディオデータの再生開始位置及び再生終了位置を設定する設定部と、前記伸張部が伸張したオーディオ信号を記憶し、記憶したオーディオ信号を読み出し前記出力部へ出力する第１の記憶部と、前記設定部により設定された再生開始位置から、前記伸張部が予め定められた時間に伸張したオーディオ信号を記憶する第２の記憶部と、前記設定部により設定された再生開始位置から再生終了位置の区間を繰り返し再生する指示を入力する再生指示部と、前記第２の記憶部にオーディオ信号の記憶が終了する直前に、前記伸張部が伸張した圧縮オーディオデータのフレームのヘッダの記録位置を示す情報を記憶する位置情報記憶部と、前記伸張部が予め定められたセクタ数に記録された圧縮オーディオデータを伸張する毎にフレームのヘッダを検出する制御をする制御部とを備え、前記制御部は、前記再生指示部から繰り返し再生する指示が入力された場合、前記第２の記憶部に記憶されたオーディオ信号を読み出し前記出力部から出力するとともに前記読取部に前記位置情報記憶部に記憶されたヘッダの記録位置から圧縮オーディオデータの読み取りを開始し前記伸張部に当該圧縮オーディオデータを伸張させ前記設定部により設定された再生開始位置から前記予め定められた時間が経過した位置より当該伸張したオーディオ信号を前記第１の記憶部に記憶する制御をし、前記第２の記憶部からオーディオ信号の読み出しが終了すると前記第１の記憶部に記憶されたオーディオ信号を読み出す制御をすることを特徴とする。